【手続補正書】
【提出日】平成26年4月1日(2014.4.1)
【手続補正１】
【補正対象書類名】特許請求の範囲
【補正対象項目名】全文
【補正方法】変更
【補正の内容】
【特許請求の範囲】
【請求項１】
開口部ＳＰを有し、フォーカシングに際して隣り合うレンズ群の間隔が変化する単焦点の光学系において、前記開口部ＳＰよりも物体側に１以上の負の屈折力を有するレンズ群GLNを有し、前記レンズ群GLNに含まれる負レンズの材料の部分分散比差とアッベ数を各々ΔθLN、νLNとするとき、
0.006＜ΔθLN
60＜νLN
を満たす負レンズを負レンズLNlow、その負レンズLNlowの数をSUM(LNlow)、
0.006＜ΔθLN
νLN＜25
を満たす負レンズを負レンズLNhigh、その負レンズLNhighの数をSUM(LNhigh)、
前記レンズ群GLNに含まれるレンズの数をSUM(L)、
前記レンズ群GLNに含まれる負レンズの数をSUM(LN)、
前記レンズ群GLNに含まれる負レンズの材料の部分分散比差の総和をSUM(ΔθLN)、
前記レンズ群GLNに含まれる負レンズのうち材料のアッベ数が最小の負レンズを負レンズLNmin、そのアッベ数をνLNmin、
アッベ数が最大の負レンズを負レンズLNmax、そのアッベ数をνLNmax、
前記レンズ群GLNは正レンズLPを有し、
前記正レンズLPの材料のアッベ数をνLP、
前記負レンズLNhighの物体側の面頂点と前記開口部ＳＰとの距離をdNS、
最も物体側のレンズ面頂点と前記開口部ＳＰとの距離をd1Sとするとき、
0.60＜SUM(LN)/SUM(L)＜1.00
0.70＜(SUM(LNlow) + SUM(LNhigh))/SUM(LN)
νLNmin＜ νLP ＜νLNmax
3.50＜νLNmax/νLNmin＜6.50
0.30＜dNS/d1S≦1.00
0.065＜SUM（ΔθLN）＜0.250
なる条件式を満足することを特徴とする光学系。
【請求項２】
前記負レンズLNminの材料の部分分散比差をΔθLNmin、前記負レンズLNminのパワーをφLNmin、前記光学系のパワーをφとするとき、少なくとも１つの前記負レンズLNminについて、
-5.0×10-3 ＜ΔθLNmin×(φLNmin/(νLNmin×φ))＜-5.0×10-5
なる条件式を満足することを特徴とする請求項１に記載の光学系。
【請求項３】
前記負レンズLNmaxの材料の部分分散比差をΔθLNmax、前記負レンズLNmaxのパワーをφLNmax、前記光学系のパワーをφとするとき、少なくとも１つの前記負レンズLNmaxについて、
-5.0×10-4 ＜ΔθLNmax×(φLNmax/(νLNmax×φ))＜-5.0×10-5
なる条件式を満足することを特徴とする請求項１又は２に記載の光学系。
【請求項４】
前記正レンズLPの材料の部分分散比差の総和をSUM（ΔθLP）とするとき
（但し、正レンズLPが１つのときは該正レンズLPの材料の部分分散比差）、
-0.050＜SUM（ΔθLP）＜0.040
なる条件式を満足することを特徴とする請求項１乃至３のいずれか１項に記載の光学系。
【請求項５】
前記負レンズLNminの材料の部分分散比差をΔθLNmin、前記負レンズLNmaxの材料の部分分散比差をΔθLNmax、前記負レンズLNminが複数あるときは、そのパワーの総和、１つのときはそのパワーをSUM(φLNmin)、前記負レンズLNmaxが複数あるときは、そのパワーの総和、１つのときはそのパワーをSUM(φLNmax)とするとき、
【数１】
2012220527.tif 000001
なる条件式を満足することを特徴とする請求項１乃至４のいずれか１項に記載の光学系。
【請求項６】
前記正レンズＬＰは、前記負レンズLNlow又は前記負レンズLNhighと同一のレンズ群内にあることを特徴とする請求項１乃至５のいずれか１項に記載の光学系。
【請求項７】
前記光学系は、物体側から像側へ順に、負の屈折力の第１レンズ群、フォーカシングに際して移動する正の屈折力の第２レンズ群よりなることを特徴とする請求項１乃至６のいずれか１項の光学系。
【請求項８】
前記光学系は、物体側から像側へ順に、負の屈折力の第１レンズ群、フォーカシングに際して移動する正の屈折力の第２レンズ群、正の屈折力の第３レンズ群よりなることを特徴とする請求項１乃至６のいずれか１項の光学系。
【請求項９】
開口部ＳＰを有し、ズーミングに際して隣り合うレンズ群の間隔が変化する光学系において、前記開口部ＳＰよりも物体側に１以上の負の屈折力を有するレンズ群GLNを有し、前記レンズ群GLNに含まれる負レンズの材料の部分分散比差とアッベ数を各々ΔθLN、νLNとするとき、
0.006＜ΔθLN
60＜νLN
を満たす負レンズを負レンズLNlow、その負レンズLNlowの数をSUM(LNlow)、
0.006＜ΔθLN
νLN＜25
を満たす負レンズを負レンズLNhigh、その負レンズLNhighの数をSUM(LNhigh)、
前記レンズ群GLNに含まれるレンズの数をSUM(L)、
前記レンズ群GLNに含まれる負レンズの数をSUM(LN)、
前記レンズ群GLNに含まれる負レンズの材料の部分分散比差の総和をSUM(ΔθLN)、
前記レンズ群GLNに含まれる負レンズのうち材料のアッベ数が最小の負レンズを負レンズLNmin、そのアッベ数をνLNmin、
アッベ数が最大の負レンズを負レンズLNmax、そのアッベ数をνLNmax、
前記レンズ群GLNは正レンズLPを有し、
前記正レンズLPの材料のアッベ数をνLP、
前記負レンズLNhighの物体側の面頂点と前記開口部ＳＰとの距離をdNS、
最も物体側のレンズ面頂点と前記開口部ＳＰとの距離をd1Sとするとき、
0.60＜SUM(LN)/SUM(L)＜1.00
0.70＜(SUM(LNlow) + SUM(LNhigh))/SUM(LN)
νLNmin＜ νLP ＜νLNmax
3.50＜νLNmax/νLNmin＜6.50
0.30＜dNS/d1S≦1.00
0.065＜SUM（ΔθLN）＜0.250
なる条件式を満足することを特徴とする光学系。
【請求項１０】
前記負レンズLNminの材料の部分分散比差をΔθLNmin、前記負レンズLNminのパワーをφLNmin、広角端における全系のパワーをφとするとき、少なくとも１つの前記負レンズLNminについて、
-5.0×10-3 ＜ΔθLNmin×(φLNmin/(νLNmin×φ))＜-5.0×10-5
なる条件式を満足することを特徴とする請求項９に記載の光学系。
【請求項１１】
前記負レンズLNmaxの材料の部分分散比差をΔθLNmax、前記負レンズLNmaxのパワーをφLNmax、広角端における全系のパワーをφとするとき、少なくとも１つの前記負レンズLNmaxについて、
-5.0×10-4 ＜ΔθLNmax×(φLNmax/(νLNmax×φ))＜-5.0×10-5
なる条件式を満足することを特徴とする請求項９又は１０に記載の光学系。
【請求項１２】
前記正レンズLPの材料の部分分散比差の総和をSUM（ΔθLP）とするとき
（但し、正レンズLPが１つのときは該正レンズLPの材料の部分分散比差）、
-0.050＜SUM（ΔθLP）＜0.040
なる条件式を満足することを特徴とする請求項９乃至１１のいずれか１項に記載の光学系。
【請求項１３】
前記負レンズLNminの材料の部分分散比差をΔθLNmin、前記負レンズLNmaxの材料の部分分散比差をΔθLNmax、前記負レンズLNminが複数あるときは、そのパワーの総和、１つのときはそのパワーをSUM(φLNmin)、前記負レンズLNmaxが複数あるときは、そのパワーの総和、１つのときはそのパワーをSUM(φLNmax)とするとき、
【数１】
2012220527.tif 000002
なる条件式を満足することを特徴とする請求項９乃至１２のいずれか１項に記載の光学系。
【請求項１４】
前記正レンズＬＰは、前記負レンズLNlow又は前記負レンズLNhighと同一のレンズ群内にあることを特徴とする請求項９乃至１３のいずれか１項に記載の光学系。
【請求項１５】
前記光学系は、物体側から像側へ順に、正の屈折力の第１レンズ群、負の屈折力の第２レンズ群、負の屈折力の第３レンズ群、正の屈折力の第４レンズ群からなり、ズーミングに際して前記第２乃至第４レンズ群が互いに異なる軌跡で移動することを特徴とする請求項９乃至１４のいずれか１項の光学系。
【請求項１６】
前記光学系は、物体側から像側へ順に、負の屈折力の第１レンズ群、正の屈折力の第２レンズ群、正の屈折力の第３レンズ群、正の屈折力の第４レンズ群、正の屈折力の第５レンズ群からなり、ズーミングに際して前記第２乃至第４レンズ群が互いに異なる軌跡で移動することを特徴とする請求項９乃至１４のいずれか１項の光学系。
【請求項１７】
請求項１乃至１６のいずれか１項に記載の光学系を有することを特徴とする光学機器。
【手続補正２】
【補正対象書類名】明細書
【補正対象項目名】００１７
【補正方法】変更
【補正の内容】
【００１７】
本発明の光学系は、開口部ＳＰを有し、フォーカシングに際して隣り合うレンズ群の間隔が変化する単焦点の光学系において、前記開口部ＳＰよりも物体側に１以上の負の屈折力を有するレンズ群GLNを有し、前記レンズ群GLNに含まれる負レンズの材料の部分分散比差とアッベ数を各々ΔθLN、νLNとするとき、
0.006＜ΔθLN
60＜νLN
を満たす負レンズを負レンズLNlow、その負レンズLNlowの数をSUM(LNlow)、
0.006＜ΔθLN
νLN＜25
を満たす負レンズを負レンズLNhigh、その負レンズLNhighの数をSUM(LNhigh)、
前記レンズ群GLNに含まれるレンズの数をSUM(L)、
前記レンズ群GLNに含まれる負レンズの数をSUM(LN)、
前記レンズ群GLNに含まれる負レンズの材料の部分分散比差の総和をSUM(ΔθLN)、
前記レンズ群GLNに含まれる負レンズのうち材料のアッベ数が最小の負レンズを負レンズLNmin、そのアッベ数をνLNmin、
アッベ数が最大の負レンズを負レンズLNmax、そのアッベ数をνLNmax、
前記レンズ群GLNは正レンズLPを有し、
前記正レンズLPの材料のアッベ数をνLP、
前記負レンズLNhighの物体側の面頂点と前記開口部ＳＰとの距離をdNS、
最も物体側のレンズ面頂点と前記開口部ＳＰとの距離をd1Sとするとき、
0.60＜SUM(LN)/SUM(L)＜1.00
0.70＜(SUM(LNlow) + SUM(LNhigh))/SUM(LN)
νLNmin＜ νLP ＜νLNmax
3.50＜νLNmax/νLNmin＜6.50
0.30＜dNS/d1S≦1.00
0.065＜SUM（ΔθLN）＜0.250なる条件式を満足することを特徴としている。
この他本発明の光学系がズームレンズよりなるときは、開口部ＳＰを有し、ズーミングに際して隣り合うレンズ群の間隔が変化する光学系において、前記開口部ＳＰよりも物体側に１以上の負の屈折力を有するレンズ群GLNを有し、前記レンズ群GLNに含まれる負レンズの材料の部分分散比差とアッベ数を各々ΔθLN、νLNとするとき、
0.006＜ΔθLN
60＜νLN
を満たす負レンズを負レンズLNlow、その負レンズLNlowの数をSUM(LNlow)、
0.006＜ΔθLN
νLN＜25
を満たす負レンズを負レンズLNhigh、その負レンズLNhighの数をSUM(LNhigh)、
前記レンズ群GLNに含まれるレンズの数をSUM(L)、
前記レンズ群GLNに含まれる負レンズの数をSUM(LN)、
前記レンズ群GLNに含まれる負レンズの材料の部分分散比差の総和をSUM(ΔθLN)、
前記レンズ群GLNに含まれる負レンズのうち材料のアッベ数が最小の負レンズを負レンズLNmin、そのアッベ数をνLNmin、
アッベ数が最大の負レンズを負レンズLNmax、そのアッベ数をνLNmax、
前記レンズ群GLNは正レンズLPを有し、
前記正レンズLPの材料のアッベ数をνLP、
前記負レンズLNhighの物体側の面頂点と前記開口部ＳＰとの距離をdNS、
最も物体側のレンズ面頂点と前記開口部ＳＰとの距離をd1Sとするとき、
0.60＜SUM(LN)/SUM(L)＜1.00
0.70＜(SUM(LNlow) + SUM(LNhigh))/SUM(LN)
νLNmin＜ νLP ＜νLNmax
3.50＜νLNmax/νLNmin＜6.50
0.30＜dNS/d1S≦1.00
0.065＜SUM（ΔθLN）＜0.250なる条件式を満足することを特徴としている。
【手続補正３】
【補正対象書類名】明細書
【補正対象項目名】００２０
【補正方法】変更
【補正の内容】
【００２０】
以下に、本発明の好ましい実施の形態を添付の図面に基づいて詳細に説明する。本発明の光学系は、単一焦点距離レンズやズームレンズ等であり、軸上最大光束径を決定する開口部ＳＰ（光学系がズームレンズの場合は広角端のズーム位置において）よりも物体側に１以上の負の屈折力のレンズ群ＧＬＮを有している。ここでレンズ群とは次のとおりである。光学系が単一焦点距離よりなるときは、光学系の最前面又は前方に位置するレンズとの間隔がフォーカシングで変化する面から最後面又は後方に位置するレンズとの間隔がフォーカシングで変化する面までに含まれる単一レンズ又は複数のレンズの集合体をいう。また光学系がズームレンズのときは、ズーミングに際して変化するレンズ間隔によって分けられる１以上のレンズを含むレンズ集合体をいう。
【手続補正４】
【補正対象書類名】明細書
【補正対象項目名】００２３
【補正方法】変更
【補正の内容】
【００２３】
各レンズ断面図において、Ｌ０は光学系である。ＳＰは開口絞りである。Ｌ１は第１レンズ群、Ｌ２は第２レンズ群、Ｌ３は第３レンズ群、Ｌ４は第４レンズ群、Ｌ５は第５レンズ群である。Ｇはプリズムである。ＳＰは軸上最大光束径を決定する開口部（開口絞り）であり、Ｆナンバーを決定する開口絞りに相当している。ＧＮＬは開口絞りＳＰよりも物体側に位置する負の屈折力のレンズ群である。本発明の光学系においてレンズ群とは、光学系の最前面又は前方に隣接するレンズとの間隔がズーミング又はフォーカシングで変化する面から光学系の最後面又は後方に隣接するレンズとの間隔がズーミング又はフォーカシングで変化する面までに含まれる単一レンズ又は複数のレンズよりなる集合体を意味する。
【手続補正５】
【補正対象書類名】明細書
【補正対象項目名】００６９
【補正方法】変更
【補正の内容】
【００６９】
負レンズLNminの材料の部分分散比差をΔθLNminとする。負レンズLNmaxの材料の部分分散比差をΔθLNmaxとする。負レンズLNminが複数あるときは、そのパワーの総和、１つのときはそのパワーをSUM(φLNmin)とする。負レンズLNmaxが複数あるときは、そのパワーの総和、１つのときはそのパワーをSUM(φLNmax)とする。光学系のパワー（光学系がズームレンズのときは広角端におけるパワー）をφとする。このとき、
-5.0×10-3 ＜ΔθLNmin×(φLNmin/(νLNmin×φ))＜-5.0×10-5    ・・・（７）
-5.0×10-4 ＜ΔθLNmax×(φLNmax/(νLNmax×φ))＜-5.0×10-5    ・・・（８）
-0.050＜SUM（ΔθLP）＜0.040                                    ・・・（９）
【手続補正６】
【補正対象書類名】明細書
【補正対象項目名】００８０
【補正方法】変更
【補正の内容】
【００８０】
図３の実施例２の光学系Ｌ０は、正の屈折力の第１レンズ群Ｌ１、負の屈折力の第２レンズ群Ｌ２、負の屈折力の第３レンズ群Ｌ３を有している。第３レンズ群Ｌ３の像側には更に、正の屈折力の第４レンズ群Ｌ４を有する４群ズームレンズである。広角端から望遠端にかけてのズーミングに際して矢印の如く、第２レンズ群Ｌ２乃至第４レンズ群Ｌ４は、独立に移動している。即ちズーミングに際して隣り合うレンズ群の間隔が変化する。